【事件の表示】
　平成　６年特許願第１８６６７７号「回折格子記録媒体」拒絶査定不服審判事件〔平成　８年　２月　２日出願公開、特開平　８−　２９６０７〕について、次のとおり審決する。
【結　論】
　本件審判の請求は、成り立たない。
【理　由】
１．手続の経緯 
　本願は、平成６年７月１８日の出願であって、平成１６年８月２５日付けで拒絶査定がなされ、平成１６年９月２８日付けで審判請求がなされたものである。
　
２．本願発明
　本願の請求項１に係る発明は、平成１６年８月３日付けの手続補正書により補正された明細書及び図面の記載からみて、特許請求の範囲の請求項１に記載された次のとおりのものと認める。（以下、「本願発明」という。）
「背景上に配置された所定のモチーフを視覚的に認識可能な態様で回折格子を用いて記録するとともに、所定のデジタル情報を光学的読取装置によって読取可能な態様で回折格子を用いて記録した回折格子記録媒体において、記録媒体上に、前記モチーフと前記デジタル情報とを記録するための情報記録対象領域を定義し、前記情報記録対象領域内に所定の走査線を定義し、前記情報記録対象領域内の前記走査線上に、第１属性の領域を複数定義し、前記情報記録対象領域内の前記第１属性の領域以外の領域に、第２属性の領域を複数定義し、前記第１属性の領域と前記第２属性の領域とに、それぞれ所定の条件で回折格子を形成し、前記光学的読取装置によって前記第１属性の領域を前記第２属性の領域と区別して読取ることができるように、前記回折格子の形成条件を設定し、　前記第１属性の個々の領域により、前記デジタル情報を記録し、前記第１属性の個々の領域と前記第２属性の個々の領域との双方により前記モチーフを構成し、前記デジタル情報が前記モチーフの一部として埋め込まれた状態となるように、前記モチーフを記録したことを特徴とする回折格子記録媒体。」
　
３．引用刊行物に記載された発明
（１）本願出願前に頒布され、原査定の拒絶の理由に引用された特開平６−８８９０５号公報（平成６年３月２９日出願公開、以下、「引用刊行物１」という。）には、「回折格子パターン偽造防止方法及び偽造防止回折格子パターン記録体」の発明に関して、以下の事項が記載されている。
＜記載事項１＞
「【請求項２】  記録すべきパターンを、少なくともそのパターン領域を含む領域に形成された一種若しくは異なる複数種の特定の方向及び間隔の回折格子又は干渉縞により、又は、並列若しくは重畳された異なる複数種の特定の方向及び間隔の回折格子又は干渉縞により記録し、その周りに、少なくとも格子又は縞の向き、間隔の一方が前記記録パターン領域の格子又は縞の向き、間隔と異なる回折格子又は干渉縞の領域により取り囲んで形成することにより回折格子パターンを記録することを特徴とする回折格子パターン記録方法。」（【請求項２】）
＜記載事項２＞
「【請求項５】  記録すべきパターンを、少なくともそのパターン領域を含む領域に形成された一種若しくは異なる複数種の特定の方向及び間隔の回折格子又は干渉縞により、又は、並列若しくは重畳された異なる複数種の特定の方向及び間隔の回折格子又は干渉縞により記録し、その周りに、少なくとも格子又は縞の向き、間隔の一方が前記記録パターン領域の格子又は縞の向き、間隔と異なる回折格子又は干渉縞の領域により取り囲んで記録されたことを特徴とする偽造防止回折格子パターン記録体。」（【請求項５】）
＜記載事項３＞
「【０００１】
【産業上の利用分野】本発明は、回折格子又は干渉縞の形成領域の位置、配置若しくは形状により文字、模様等のパターンを記録する場合に、同じものが偽造されるのを防止する方法とこのような偽造防止をした回折格子パターン又は干渉縞パターン記録体に関する。
【０００２】
【従来の技術】従来、回折格子又は干渉縞の形成領域の輪郭により文字、模様等のパターンを記録、表示することは、カレンダー、バーコード等において周知である。以後、このようなパターンを回折格子パターンと言う。
【０００３】このような回折格子パターンにより、カード等の偽造防止情報を形成することも周知である。」（段落【０００１】乃至【０００３】）
＜記載事項４＞
「【０００５】本発明はこのような状況に鑑みてなされたものであり、その目的は、特定の情報を記録した回折格子パターンの偽造防止方法及びこのような偽造防止をした回折格子パターン記録体を提供することである。」（段落【０００５】）
＜記載事項５＞
「【００１５】図１は、本発明の１実施例として、バーコードを回折格子形成部分の輪郭により記録した回折格子パターン記録体１の平面図であり、図中、符号２1 〜２4 で示した４個の水平方向に格子が向いた回折格子領域がバーコードを表している。これらの領域が本来情報を記録するパターンであり、その周りには、少なくとも格子の向き、間隔の一方が記録パターン領域２1 〜２4 のそれと異なる多数の回折格子領域（ダミー回折格子）が取り囲んで配置されており、図から明らかなように、迷彩され一見しただけではどの領域が記録された情報領域であるか分からない。また、後記するように、これら回折格子からの回折光により機械的に読み取る場合にも、どの方向に回折される光が記録された情報領域からのものであるか、予め記録パターン領域２1 〜２4 の回折格子の向きと間隔が分からない限り、判定できない。（略）」（段落【００１５】）
＜記載事項６＞
「【００１６】さらに、図３の場合は、記録すベきパターン２1 〜２4 領域を含む領域に水平方向に向いた回折格子領域が形成されている。この領域の周りに比較的粗い左下がりの回折格子（ダミー回折格子）が形成されている。このように、記録すべきパターンを含んだ領域に回折格子を形成することにより、パターン自体の存在がわかり難くなると共に、ダミー回折格子を１種類だけ設けたとしても、十分に偽造困難なものとなる。このような回折格子パターン記録体１は、マスクパターンを用いて２回露光するだけで作製することができる。」（段落【００１６】）
＜記載事項７＞
「【００１７】ところで、このようにダミー回折格子で囲んで形成した偽造困難な回折格子パターンを読み取るには、いくつかの方法が考えられるが、第１の方法は、所定方向から単色ビームで照明しながら回折格子パターン記録体１を移動させ、照明領域が記録体１を横切るようにし、格子パターン２1 〜２4 からの回折光を受ける特定方向に受光素子を配置して、時間的な信号として記録パターンを読み取る方法である。図４に、ストライプ領域４に図１のようにバーコードを記録した記録体１を貼り付けたカード３の読み取りのための配置を模式的に示す。半導体レーザのような単色光源５からのビーム光をストライプ領域４に当てながらカード３を矢印の方向に移動させると、照明光は領域２1 〜２4 から特定方向に回折され、その位置に配置した受光素子６に入射する。もちろん、その周りのダミー回折格子からも照明光は回折されるが、前記したように、それらの格子の向き、間隔が領域２1 〜２4 のそれと異なるので、照明光がダミー回折格子を照明する位置では、受光素子６には光は入射しない。したがって、カード３の移動の伴って（「移動に伴って」の誤記である。）、受光素子６からは例えば図５に示したような波形の信号が得られ、この信号から、記録されたバーコードを読み取ることができると共に、その記録体が真実のものか偽造されたものかの判定を行うこともできる。また、他の読み取り方法として、記録体１全体をおおう照明領域を持つ照明光を所定の方向から記録体１に当てると、記録パターン領域のみが照明光を特定方向に回折させる。その特定方向にＣＣＤカメラ等を設置しておけば、回折光を容易に認識し得る。ＣＣＤカメラ等の代わりに、目視で偽造されたものかの判定を行うことができることは言うまでもない。なお、図２に示したように、複数の回折格子を並列に並べる等、複数の回折格子を用いて形成した回折格子パターンを読み取るには、各回折格子からの回折光を受光する方向位置に対応した複数の受光素子を配置し、各受光素子から得られる信号を加え合わせる（並列の場合）か掛け合わせて（重畳の場合）、バーコードの読み取り、真偽判定を行う。また、回折格子パターンを２次元的なパターンとして記録してある場合には、前記のような照明領域が記録体を２次元的に走査するようにして読み取りを行うようにすればよい。」（段落【００１７】）
＜記載事項８＞
「【００１９】さて、上記のような記録体の用途としては、例えばプリペイドカード、ＣＤカード等のカードの偽造防止用記録部に用いることができる。その場合、図４に示したように、カード３のストライプ領域４又は特定の一部に本発明の記録体を設けて所要の判別偽造困難な情報を記録するようにする。（略）」（段落【００１９】）
＜記載事項９＞
　図１には、偽造防止回折格子パターン記録体、即ち４つのバーコード回折格子領域及びその周りの上記回折格子領域とは回折格子の形成条件が異なる多数の回折格子領域（ダミー回折格子）により構成された長方形のパターンが記載されている。
　
　したがって、上記記載事項１〜９及び図１、２に基づけば、引用刊行物１には、以下ア．〜オ．の事項が記載されている。
ア．長方形のパターンを視覚的に認識可能な態様で回折格子を用いて記録する点（記載事項９）　
イ．バーコードを受光素子によって読取可能な態様で回折格子を用いて記録した偽造防止回折格子パターン記録体（記載事項５、７）
ウ．回折格子パターン記録体上に、バーコードが記録された４個の回折格子領域を配置する（記載事項５）
エ．回折格子領域の周りには、少なくとも格子の向き、間隔の一方が前記回折格子領域のそれと異なる多数の回折格子領域（ダミー回折格子）を配置し（記載事項１，２，５，６）
オ．回折格子領域と該回折格子領域とは回折格子の形成条件が異なる多数の回折格子領域（ダミー回折格子）との双方により長方形のパターンを構成し、前記パターンを記録した偽造防止回折格子パターン記録体（記載事項１、２、９）が記載されている。
　
　よって、上記記載事項１〜９及び図１、２に基づけば、引用刊行物１には、「長方形のパターンを視覚的に認識可能な態様で回折格子を用いて記録するとともに、バーコードを受光素子によって読取可能な態様で回折格子を用いて記録した偽造防止回折格子パターン記録体において、回折格子パターン記録体上に、バーコードが記録された４個の回折格子領域を配置するとともに、前記回折格子領域の周りには、少なくとも格子の向き、間隔の一方が前記回折格子領域のそれと異なる多数の回折格子領域（ダミー回折格子）を配置して、前記回折格子領域と前記多数の回折格子領域（ダミー回折格子）との双方により前記パターンを構成し、前記パターンを記録したことを特徴とする偽造防止回折格子パターン記録体。」の発明（「以下、「引用発明」という。）が記載されている。
　
（２）本願出願前に頒布され、原査定の拒絶の理由に引用された特開平５−５０７８８号公報（以下、「引用刊行物２」という。）には、「カードおよびカード読み取り装置」の発明に関して、以下の事項が記載されている。
＜記載事項１０＞
「【０００３】ところがカードの偽造が行われるようになると、カード固有情報やデータの改竄・変造・偽造を困難にするため、（中略）、またカード表面には視覚的に一目で真偽が判別可能となるようにカード所有者のサイン、ホログラムシートの貼付、回折格子からなる回折格子パターンによる絵柄・模様を形成するなどの対策がとられていた。」（段落【０００３】）
＜記載事項１１＞
「【０００５】
【発明が解決しようとする課題】ところがホログラム、回折格子はその独特な絵柄・模様の存在の有無を視覚的に判別するため、読み取り装置ではホログラム、回折格子の読み取りを行っておらず、しかもそこには何の情報も有していないため、たとえその存在が確認できたとしても、該当カードがどのようなもので、カード所有者が誰で、どのような状態にあるのかというカード固有情報やカード識別情報が得られないため、本来の意味での真偽判別はできないという問題があった。そこで、本発明は特定の回折格子により形成された微細な回折格子パターンの組み合わせにより、情報をコード化記録し、読み取り装置により情報が読み取り可能なカードおよびその回折格子パターンによる絵柄・模様を有するカードを提供することを目的とする。」（段落【０００５】）
＜記載事項１２＞
「【０００７】また光学的に情報の読み取り可能なカードにおいて、前記カード上に形成されてなる絵柄、文字、模様等の画像の少なくとも一部に特定の回折方向および空間周波数を有する回折格子を微小なエリアに形成してなる回折格子パターンを、同一および／または異なる回折方向および空間周波数の種類の複数の組み合わせとしてコード化した回折格子パターン群を配置してなるカードにある。」（段落【０００７】）
＜記載事項１３＞
「【００１０】
【作用】本発明によれば、（中略）また絵柄・模様・文字等の画像に上記回折格子パターンの組み合わせを配置するため、画像を偽造防止の手段として視覚的識別と機械的識別を両用することができる。」（段落【００１０】）
＜記載事項１４＞
「【００１９】さらに本発明は、図６に示すようにカード６０に形成した画像６１の煙突６２及び窓６３に回折格子パターン群を組み込むこともでき、回折格子パターン群をカード６０上に形成された絵柄・模様・文字等の画像６１の一部に配置し、その回折格子パターン群の持つ正規の記録である情報とは別に存在位置を隠した形で、その有無によりカード自体の真偽判別が可能である。」（段落【００１９】）
＜記載事項１５＞
「【００２１】この回折格子パターン群６５、６６は、それぞれ４種類中２種類の格子方向を有する回折格子からなる回折格子パターンが交互に配列されたものであり、図３に規定された数字を示す。この場合は同じパターンが繰り返し煙突６２、窓６３の絵柄中に配置されているので、最終的には１つの数字を表す。（略）」（段落【００２１】）
＜記載事項１６＞
【００２２】「（略）さらに、上記の煙突６２、窓６３ように複数箇所に任意に配置することにより、高いセキュリティ性を得るだけでなく、図示しないが読み取り装置に画像に形成された幾つかの回折格子パターン群の読み取り順序を設定し、情報を照合することで真偽判定の精度を高めることもできる。」（段落【００２２】）
＜記載事項１７＞
「【００２３】以上本実施例によれば、（中略）第２の特徴は回折格子により形成される回折格子パターン群が画像と一体化しており、外見上その位置を認知することは困難で回折格子パターン群の位置が不明である点、絵柄の任意の位置に設けることができる点、その数も任意に設けることが可能である点、偽造も困難であることから、読み取りの組み合わせもカードの認証への利用が可能であり、偽造防止効果は高いということにある。」（段落【００２３】）
＜記載事項１８＞
「【００２４】
【発明の効果】本発明によれば、従来カードに偽造防止用に形成され、視覚的な判別のみに用いられてきた回折格子パターンを機械的な読み取りによる判別を可能とするとともに、コード化させた情報を保持させることができるようになり、記録手段としての利用もでき、偽造も困難であることから高い利用性を有する。また画像と一体化して形成するため、外観上その位置を認識できず、秘匿性が極めて高い。（略）」（段落【００２４】）
　
　したがって、上記記載事項１０〜１８及び図３、６に基づけば、引用刊行物２には、
カ．カードの偽造防止のため、カード表面に視覚的に一目で真偽が判別可能となるように回折格子からなる回折格子パターンによる絵柄・模様を形成する点（記載事項１０）
キ．カードに形成した画像（家）に数値化した情報を記録するため、煙突及び窓からなる絵柄中に回折格子パターン群を形成する点（記載事項１４、１５）
ク．回折格子パターン群が画像と一体化して形成されている点（記載事項１７，１８参照）が、記載されている。
　
　そして、上記ク．の「回折格子パターン群」は上記キ．の数値化した情報を記録したものであるので、本願発明の「デジタル情報」に相当し、上記ク．の「画像と一体化して形成されている」点は、本願発明の「画像の一部として埋め込まれた状態で前記画像を形成すること」に相当し、また、上記キ．の「画像」は、本願発明の「所定のモチーフ」に相当する。　
　
　よって、上記引用刊行物２には、デジタル情報が所定のモチーフの一部として埋め込まれた状態で前記モチーフを形成することが記載されているといえる。
　
４．対比
　本願発明と引用発明とを比較する。
（１）引用発明の「バーコード」、「受光素子」、「回折格子パターン記録体」、「回折格子領域」、「回折格子領域の周りの多数の回折格子領域（ダミー回折格子）」、「４個の回折格子領域を配置する」、「回折格子領域により、バーコードを記録した」、及び「偽造防止回折格子パターン記録体」は、本願発明の「所定のデジタル情報」、「光学的読取装置」、「回折格子記録媒体」、「第１属性の領域」、「第２属性の領域」、「第１属性の領域を複数定義し」、「第１属性の個々の領域により、所定のデジタル情報を記録した」、及び「回折格子記録媒体」にそれぞれ相当する。
（２）一般に、「パターン」は、「図案、図像」を意味し、「モチーフ」は、「壁紙・織物などの装飾美術で、模様の主題を構成する単位。」を意味する（広辞苑、第５版、株式会社　岩波書店、平成１０年１１月１１日発行）が、本願明細書において「所定のモチーフ」として、アルファベット３文字からなるモチーフ（図７、８、１０参照）、顔のような模様（図１４参照）、アルファベット１文字からなるモチーフ（図１６参照）が記載されている点を考慮すると、引用発明の「長方形のパターン」と本願発明の「所定のモチーフ」とは、所定のパターンという上位概念で一致する。
　また、引用発明の「長方形のパターンからなる回折格子パターン記録体」は、カードの特定の一部に設けられるので（記載事項８）、カードの背景上に長方形のパターンが配置されているといえる。
　したがって、引用発明の「長方形のパターンを視覚的に認識可能な態様で回折格子を用いて記録する」と本願発明の「背景上に配置された所定のモチーフを視覚的に認識可能な態様で回折格子を用いて記録する」とは、背景上に配置された所定のパターンを視覚的に認識可能な態様で回折格子を用いて記録するという上位概念で一致する。
（３）引用発明の「回折格子パターン記録体上に」は、バーコード及び長方形のパターンの情報が記録されるので、本願発明の「情報記録対象領域」を有することは明らかであり、また、引用発明の「回折格子領域」及び「回折格子領域の周りの多数の回折格子領域（ダミー回折格子）」は、本願発明でいう「情報記録対象領域内に定義（配置）された」ものであることは明らかである。
　したがって、引用発明の「回折格子領域の周りに多数の回折格子領域（ダミー回折格子）を配置し」は、本願発明の「情報記録対象領域内の第１属性の領域以外の領域に、第２属性の領域を複数定義し」に相当する。
（４）引用発明の「回折格子パターン記録体上に、バーコードが記録された４個の回折格子領域を配置するとともに、前記回折格子領域の周りには、少なくとも格子の向き、間隔の一方が前記回折格子領域のそれと異なる多数の回折格子領域（ダミー回折格子）を配置し、前記回折格子領域と前記多数の回折格子領域（ダミー回折格子）との双方により長方形のパターンを記録したこと」と、本願発明の「記録媒体上に所定のモチーフと所定のデジタル情報とを記録したこと」とは、記録媒体上に所定のパターンと所定のデジタル情報とを記録したことという上位概念で一致する。
（４−１）引用発明の上記（４）に係る構成の「回折格子領域の周りには、少なくとも格子の向き、間隔の一方が前記回折格子領域のそれと異なる多数の回折格子領域（ダミー回折格子）を配置し」は、本願発明の「第１属性の領域と第２属性の領域とに、それぞれ所定の条件で回折格子を形成し、光学的読取装置によって前記第１属性の領域を前記第２属性の領域と区別して読取ることができるように、前記回折格子の形成条件を設定し」に相当する。
（４−２）引用発明の上記（４）に係る構成の「回折格子領域と前記多数の回折格子領域（ダミー回折格子）との双方により長方形のパターンを構成し」と、本願発明の「第１属性の個々の領域と第２属性の個々の領域との双方により所定のモチーフを構成し」とは、第１属性の個々の領域と第２属性の個々の領域との双方により所定のパターンを構成しという上位概念で一致する。
（４−３）引用発明の上記（４）に係る構成の「長方形のパターンを記録したこと」と、本願発明の「所定のデジタル情報が所定のモチーフの一部として埋め込まれた状態となるように、所定のモチーフを記録したこと」とは、所定のパターンを記録したことという上位概念で一致する。
　　
　したがって、両者は、
「背景上に配置された所定のパターンを視覚的に認識可能な態様で回折格子を用いて記録するとともに、所定のデジタル情報を光学的読取装置によって読取可能な態様で回折格子を用いて記録した回折格子記録媒体において、記録媒体上に、前記パターンと前記デジタル情報とを記録するための情報記録対象領域を定義し、前記情報記録対象領域内に第１属性の領域を複数定義するとともに、前記情報記録対象領域内の前記第１属性の領域以外の領域に、第２属性の領域を複数定義し、前記第１属性の領域と前記第２属性の領域とに、それぞれ所定の条件で回折格子を形成し、前記光学的読取装置によって前記第１属性の領域を前記第２属性の領域と区別して読取ることができるように、前記回折格子の形成条件を設定し、前記第１属性の個々の領域により、前記デジタル情報を記録し、前記第１属性の個々の領域と前記第２属性の個々の領域との双方により前記パターンを構成し、前記パターンを記録したことを特徴とする回折格子記録媒体。」の点で一致し、以下の点で相違する。
[相違点１]
　視覚的に認識可能な態様で回折格子を用いて回折格子記録媒体に記録される所定のパターンが、本願発明は、所定のモチーフであるのに対して、引用発明は、長方形のパターンである点。
[相違点２]
　本願発明は、所定のデジタル情報が所定のモチーフの一部として埋め込まれた状態となるように、前記モチーフを記録しているのに対して、引用発明が記載された引用刊行物１には、その旨が明記されていない点。
[相違点３]
　情報記録対象領域内に定義される第１属性の領域について、本願発明は、情報記録対象領域内に所定の走査線を定義し、前記情報記録対象領域内の前記走査線上に、第１属性の領域を複数定義しているのに対して、引用発明が記載された引用刊行物１には、第１属性の領域が、情報記録対象領域内の所定の走査線上に複数定義されている点について明示されていない点。
　
５．当審の判断
　上記[相違点１]ないし[相違点３]について検討する。
（１）[相違点１]について
　引用刊行物１には、「回折格子パターン」の従来例として、回折格子の形成領域の輪郭により文字、模様等のパターンを記録することが記載されており（記載事項３）、また、「４．（１）」で前述したように、本願明細書には、「所定のモチーフ」の実施例として、アルファベット３文字からなるモチーフ（図７、８、１０参照）、顔のような模様（図１４参照）、及びアルファベット１文字からなるモチーフ（図１６参照）が記載されていることからみて、引用刊行物１に記載された従来例である、回折格子により形成された文字、模様等のパターンは、本願発明の所定のモチーフに相当することは明らかである。
　そして、長方形のパターンに適用した引用刊行物１記載の引用発明を、同じ引用刊行物１に記載されるような上記所定のモチーフに適用する際の阻害要因はないので、その適用は困難なことではない。
　したがって、相違点１に係る構成要件は、引用刊行物１の記載された発明を所定のモチーフに適用するにより当業者が容易になし得る程度のものである。
（２）[相違点２]について
　引用刊行物１には、所定のデジタル情報が記録される第１属性の個々の領域（バーコードを記録する４個の回折格子領域）の周りに、第２属性の領域（多数の回折格子領域（ダミー回折格子））を配置することにより、迷彩され一見しただけではどの領域が記録された所定のデジタル情報の領域であるか分からないように長方形のパターンを記録することが記載されているので（記載事項５及び図１参照）、引用刊行物１には、所定のデジタル情報が長方形のパタ−ンの一部として埋め込まれた状態で前記長方形のパターンを記録することが示唆されているといえる。
　そして、長方形のパタ−ンに適用した引用発明を所定のモチーフに適用することは、「[相違点１]について」で述べたように困難なことではないので、相違点２に係る構成要件は格別なものでない。
（３） [相違点３]について
　引用刊行物１には、偽造困難な回折格子パターンを読み取るために、所定方向から単色ビームで照明しながら回折格子記録媒体（回折格子パターン記録体）を移動させ、照明領域が回折格子記録媒体を横切るようにすることが記載されている点（記載事項７及び図４）、及び長方形の回折格子記録媒体の内側に配置される複数の第１属性の領域（４個のデジタル情報を記録した回折格子領域）は、上記長方形の長手方向の中心線に沿って間隔を設けて所定位置に設けられていることが記載されている（図１参照）。
　してみると、引用発明において、単色光のビームで第１属性の領域の情報を読み取るために、情報記録対象領域内における上記単色光の軌跡と、上記第１属性の領域の位置を対応づけることが必要であることは明らかである。そして、そのためには、情報記録対象領域内における上記単色光の軌跡、即ち、情報記録対象領域内の走査線と上記第１属性の領域の位置について、本願発明のように、第１属性の領域を含む情報記録対象領域内に、所定の走査線を定義し、情報記録対象領域内の前記走査線上に、第１属性の領域を複数定義することは、引用刊行物１に記載された発明に基づいて当業者が容易になし得る程度のものである。
　したがって、相違点３に係る構成要件は、引用刊行物１に記載された発明に基づいて当業者が容易になし得る程度のものである。
　
　また、本願発明の効果は、引用刊行物１の記載から当業者が予測し得る範囲内のものである。
　
　よって、本願発明は、引用刊行物１に記載された発明に基づいて当業者が容易に発明することができたものである。　
　
　なお、本願発明の「所定のデジタル情報が所定のモチーフの一部として埋め込まれた状態となるように、前記モチーフを記録した」ことについては、上記「３．（２）」に記載したように、上記引用刊行物２に記載されており、引用刊行物１に記載の発明と引用刊行物２に記載の発明とは、カードの偽造防止のために回折格子を形成したカードという技術分野で一致し、また、引用刊行物２に記載の発明を引用刊行物１に記載の発明に適用する際の阻害要因もない。
　したがって、本願発明は、引用刊行物１及び引用刊行物２に記載された発明に基づいて当業者が容易に想到し得たものともいえる。
　
６．むすび
　以上のとおり、本願発明は、引用刊行物１に記載された発明に基づいて当業者が容易に発明することができたものであるから、特許法第２９条第２項の規定により特許を受けることができない。
　よって、結論のとおり審決する。